【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
１以上の文字を有する文字列が定長範囲内に配置不可と判別されたときに、配置可とするための調整対象として、前記文字列に設定可能な複数の長さ関連属性のうちの１以上を調整する文字情報処理装置であって、
前記配置不可と判別されたときに、前記複数の長さ関連属性に対して、調整のための優先度として属性優先度を設定する属性優先度設定手段と、
設定された前記属性優先度に従って、前記複数の長さ関連属性のうちの１以上を調整する属性調整手段と、
を備えたことを特徴とする文字情報処理装置。
【請求項２】
前記属性優先度設定手段は、前記複数の長さ関連属性のそれぞれに対して複数段階の優先度のいずれかを設定する各属性優先度設定手段を有することを特徴とする、請求項１に記載の文字情報処理装置。
【請求項３】
前記属性優先度設定手段は、前記配置不可と判別されたときに、最優先で調整する１の長さ関連属性を、最優先調整属性として前記複数の長さ関連属性から選択する最優先調整属性選択手段を有し、
前記属性調整手段は、前記最優先調整属性を調整する最優先属性調整手段を有することを特徴とする、請求項１または２に記載の文字情報処理装置。
【請求項４】
前記属性優先度設定手段は、前記属性調整手段によるｎ回目（ｎは自然数）の調整後に前記配置不可と再判別されたときに、次のｎ＋１回目に最優先で調整する１の長さ関連属性を、前記ｎ＋１回目の最優先調整属性として選択する次優先調整属性選択手段をさらに有し、
前記属性調整手段は、前記再判別されたときに、前記ｎ＋１回目の最優先調整属性を調整する次優先属性調整手段をさらに有することを特徴とする、請求項３に記載の文字情報処理装置。
【請求項５】
前記属性優先度設定手段は、前記ｎ回目までの調整により再調整不可能になった長さ関連属性を判別する再調整不可属性判別手段をさらに有し、
前記再調整不可能と判別された長さ関連属性は、前記ｎ＋１回目の最優先調整属性として選択不可とすることを特徴とする、請求項４に記載の文字情報処理装置。
【請求項６】
前記複数の長さ関連属性には、文字サイズ、文字間サイズ、余白サイズの１種、文字伸縮の１種、文字装飾の１種、書体の１種、特定文字指定の１種および背景装飾の１種のうちの少なくとも２の長さ関連属性が含まれることを特徴とする、請求項１ないし５のいずれかに記載の文字情報処理装置。
【請求項７】
設定されている長さ関連属性に従って、前記定長範囲を有する処理対象物への印刷、前記定長範囲を有する処理対象物への刻印および前記定長範囲を有する表示画面への表示の少なくとも１を含む出力として、前記文字列の配置を行う配置手段をさらに備えたことを特徴とする、請求項１ないし６のいずれかに記載の文字情報処理装置。
【請求項８】
前記配置手段は、
前記定長範囲を再設定する定長再設定手段と、
前記配置可否に関わらず、設定されている長さ関連属性に従って前記文字列を配置して、前記出力を行う任意配置手段と、
の少なくとも一方を有することを特徴とする、請求項７に記載の文字情報処理装置。
【請求項９】
１以上の文字を有する文字列が定長範囲内に配置不可と判別されたときに、配置可とするための調整対象として、前記文字列に設定可能な複数の長さ関連属性のうちの１以上を調整する文字情報処理方法であって、
前記配置不可と判別されたときに、前記複数の長さ関連属性に対して、調整のための優先度として属性優先度を設定し、設定された前記属性優先度に従って、前記複数の長さ関連属性のうちの１以上を調整することを特徴とする文字情報処理方法。
【請求項１０】
コンピュータを、請求項１ないし８のいずれかに記載の文字情報処理装置における各手段として機能させるためのプログラム。
【請求項１１】
請求項１０に記載のプログラムを記録したコンピュータ読み取り可能な記憶媒体。
【手続補正２】
【補正対象書類名】明細書
【補正対象項目名】００１８
【補正方法】変更
【補正の内容】
【００１８】
これによれば、複数の長さ関連属性には、文字サイズ、文字間サイズ、余白サイズの１種、文字伸縮の１種、文字装飾の１種、書体の１種、特定文字指定の１種および背景装飾の１種のうちの少なくとも２の長さ関連属性が含まれるので、これらに対して属性優先度を設定して、簡易な操作で調整ができる。すなわち、これらのうちの少なくとも２種の長さ関連属性に対して属性優先度を設定して、優先度を同一にしたり差を付けたりする簡易な操作で、意図を反映した調整ができる。
【手続補正３】
【補正対象書類名】明細書
【補正対象項目名】００２３
【補正方法】変更
【補正の内容】
【００２３】
また、本発明のプログラムは、コンピュータが上述のいずれかの文字情報処理装置を機能させること、または、上述の文字情報処理方法を実行可能なことを特徴とする。また、本発明の記憶媒体は、上述のプログラムを、コンピュータによって読出可能に記憶することを特徴とする。
【手続補正４】
【補正対象書類名】明細書
【補正対象項目名】００２４
【補正方法】変更
【補正の内容】
【００２４】
これらによれば、コンピュータが上述のいずれかの文字情報処理装置を機能させることができるので、または、上述の文字情報処理方法を実行可能される。また、コンピュータにより記憶媒体から読み出して実行することにより、定長範囲内に文字列を配置するために長さ関連属性を調整するに際して、簡易な操作で意図を反映した調整ができる。
【手続補正５】
【補正対象書類名】明細書
【補正対象項目名】００５４
【補正方法】変更
【補正の内容】
【００５４】
次に、テープ印刷装置１の制御全体の処理フローについて、図５を参照して説明する。電源キーを押すこと（電源オン）により処理が開始すると、図５に示すように、まず、前回の電源オフ時の状態に戻すために、退避していた各制御フラグを復旧するなどの初期設定を行い（Ｓ１）、次に、前回の表示画面を初期画面として表示する（Ｓ２）。
【手続補正６】
【補正対象書類名】明細書
【補正対象項目名】００５５
【補正方法】変更
【補正の内容】
【００５５】
図５のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力その他による割込を許可し、何らかの割込が発生するまでは、そのままの状態を維持し（Ｓ３：Ｎｏ）、何らかの割込が発生すると（Ｓ３：Ｙｅｓ）、それぞれの割込処理に移行して（Ｓ４）、その割込処理が終了すると、再度、その状態を維持する（Ｓ３：Ｎｏ）。
【手続補正７】
【補正対象書類名】明細書
【補正対象項目名】００５７
【補正方法】変更
【補正の内容】
【００５７】
例えば図６に示すように、カーソルＫまでの１行目の文字（キャラクタ）列「ＡＢＣＤＥ」を入力後のテキスト編集画面表示の状態で（画面Ｄ１０：以下、表示画面４１の状態を画面Ｄｘｘとし、Ｄｘｘのみで説明および図示する。）、ユーザにより印刷キーが押されると、「印刷中」のメッセージの表示とともに（Ｄ１１：印刷中報知画面）、文字列「ＡＢＣＤＥ」の文字列画像をテープ幅ＴＷのテープＴに印刷画像Ｇ００として印刷し、ラベル長さ（文字サイズと文字数等で定まる任意長、または定長指定による設定長（定長、指定長））ＬＷ０等に応じてカットして、ラベルＬ００を作成し（図６（ｂ）参照）、印刷が終了すると、元のテキスト編集画面に戻る（Ｄ１２：Ｄ１０と同じ）。
【手続補正８】
【補正対象書類名】明細書
【補正対象項目名】００６２
【補正方法】変更
【補正の内容】
【００６２】
ここで、上述の状態から（Ｄ２０〜Ｄ２２）、例えば「文字間」がカーソル指定されて（Ｄ２２）、エンターキーの押下により選択（以下単に「選択確定」という）されたとすると、「文字間」を変更（調整）する旨を決定して、例えば図８（ａ）→図８（ｂ）のように「文字間」を調整し、調整後のラベル長さが設定長ＬＷ１以下になるときには、図６で前述と同様にして、その後、「印刷中」のメッセージの表示とともに（Ｄ２３：図６のＤ１１と同じ）、テープ幅ＴＷのテープＴに印刷画像Ｇ１１として印刷し、ラベル長さが設定長ＬＷ１等になるようにカットして、ラベルＬ１１を作成し（図８（ｂ）参照）、印刷が終了すると、元のテキスト編集画面に戻る（Ｄ２４：図６の（Ｄ１２）と同じ）。
【手続補正９】
【補正対象書類名】明細書
【補正対象項目名】００６３
【補正方法】変更
【補正の内容】
【００６３】
また、上述の状態から（Ｄ２０〜Ｄ２２）、例えば「文字サイズ」が選択確定されたとすると、「文字サイズ」を調整する旨を決定して、例えば図８（ａ）→図８（ｃ）のように「文字サイズ」を調整し、調整後のラベル長さが設定長ＬＷ１以下になるときには、同様にして、テープＴに印刷画像Ｇ１２として印刷し（図６のＤ１１、図７のＤ２３等と同様）、ラベルＬ１２を作成でき（図８（ｃ）参照）、終了後、元のテキスト編集画面に戻る（Ｄ２４等）。
【手続補正１０】
【補正対象書類名】明細書
【補正対象項目名】００６４
【補正方法】変更
【補正の内容】
【００６４】
また、同様に、上述の状態から（Ｄ２０〜Ｄ２２）、例えば「余白」が選択確定されたとすると、「余白」を調整する旨を決定して、例えば図８（ａ）→図８（ｄ）のように「余白」を調整し、調整後のラベル長さが設定長ＬＷ１以下になるときには、印刷画像Ｇ１３として印刷し（図６のＤ１１等と同様）、ラベルＬ１３を作成でき（図８（ｄ）参照）、元のテキスト編集画面に戻る（Ｄ２４等）。
【手続補正１１】
【補正対象書類名】明細書
【補正対象項目名】００６８
【補正方法】変更
【補正の内容】
【００６８】
この第２例では、例えば図１０および図１１に示すように、前述の定長調整指示画面において「文字間」の変更（調整）が選択確定されたときに（Ｄ２２：図７と共通）、例えば図１１（ａ）→図１１（ｂ）に示すように（図８（ａ）→図８（ｂ）と同様に）「文字間」を調整しても、調整後のラベル長さが設定長ＬＷ２以下にならないときには、次に「文字間」以外の長さ関連属性の調整を付加するための定長調整指示画面に遷移する（Ｄ４０）。
【手続補正１２】
【補正対象書類名】明細書
【補正対象項目名】００６９
【補正方法】変更
【補正の内容】
【００６９】
ここで、「文字サイズ」の調整が選択確定されたときには（Ｄ４０）、例えば図１１（ｂ）→図１１（ｃ）のように「文字サイズ」を調整し、仮にここで調整後のラベル長さが設定長ＬＷ２以下になるときには、前述同様に、印刷画像Ｇ２２として印刷し（図６のＤ１１等と同様）、ラベルＬ２２を作成でき（図１１（ｃ）参照）、終了後、元のテキスト編集画面に戻る（図７のＤ２４等）。
【手続補正１３】
【補正対象書類名】明細書
【補正対象項目名】００７０
【補正方法】変更
【補正の内容】
【００７０】
ただし、図示のように（例えば図１１（ａ）→図１１（ｂ））、さらに「文字サイズ」を調整しても、設定長ＬＷ２以下にならないときには、次に「文字間」と「文字サイズ」以外の長さ関連属性、すなわち本実施形態では「余白」の調整を付加するための定長調整指示画面に遷移する（Ｄ４１）。
【手続補正１４】
【補正対象書類名】明細書
【補正対象項目名】００７１
【補正方法】変更
【補正の内容】
【００７１】
ここで、「余白」の調整が選択確定され（Ｄ４１）、例えば図１１（ｃ）→図１１（ｄ）のように「余白」（前後余白）を調整し、図示のように、調整後のラベル長さが設定長ＬＷ２以下になるときには、前述同様に、印刷画像Ｇ２３として印刷し（図６のＤ１１等と同様）、ラベルＬ２２を作成でき（図１１（ｄ）参照）、終了後、元のテキスト編集画面に戻る（図７のＤ２４等）。
【手続補正１５】
【補正対象書類名】明細書
【補正対象項目名】００７８
【補正方法】変更
【補正の内容】
【００７８】
この第３例では、例えば図１２および図１３に示すように、前述の定長調整指示画面において「文字間」の調整が選択確定され（Ｄ２２：図７と共通）、例えば図１３（ａ）→図１３（ｂ）に示すように「文字間」を調整しても、調整後のラベル長さが設定長ＬＷ３以下にならないときには、次に「文字間」をさらに短く（狭く）する余地があるときには、再度の「文字間」の選択肢も含む定長調整指示画面に遷移する（Ｄ５０）。
【手続補正１６】
【補正対象書類名】明細書
【補正対象項目名】００７９
【補正方法】変更
【補正の内容】
【００７９】
ここで、「文字間」の調整が選択確定されたときには（Ｄ５０）、例えば図１３（ｂ）→図１３（ｃ）のように「文字間」を調整し、ここで調整後のラベル長さが設定長ＬＷ３以下になるときには、前述同様に、印刷画像Ｇ３２として印刷し（Ｄ５３：図６のＤ１１等と同様）、ラベルＬ３２を作成でき（図１３（ｃ）参照）、終了後、元のテキスト編集画面に戻る（図７のＤ２４等）。
【手続補正１７】
【補正対象書類名】明細書
【補正対象項目名】００８１
【補正方法】変更
【補正の内容】
【００８１】
ここで、「文字間」の調整が選択確定されたときには（Ｄ５２）、再度、同様に「文字間」を調整し、設定長ＬＷ４以下になるときには、前述同様に、その印刷画像により印刷してラベルを作成できるが（Ｄ５３：図１６（ｂ）参照）、ここでは、「文字間」の調整は一旦止めて、次には、「文字サイズ」の調整が選択確定されたとすると、例えば図１３（ｃ）→図１３（ｄ）（図１４（ａ）→図１４（ｂと同じ）のように「文字サイズ」が調整され、設定長ＬＷ４以下になるときには、前述同様に、印刷画像Ｇ３３（図１４のＧ４１と同じ）として印刷し（図６のＤ１１等と同様）、ラベルＬ３３（図１４のＬ４１と同じ）を作成できる（図１３（ｄ）参照）。
【手続補正１８】
【補正対象書類名】明細書
【補正対象項目名】００８２
【補正方法】変更
【補正の内容】
【００８２】
ただし、ここでは、図１４に示すように、例えば図１４（ａ）→図１４（ｂ）（図１３（ｃ）→図１３（ｄ）と同じ）のように、まだ設定長ＬＷ４以下にならず、この状態でも、「文字間」をさらに狭くする余地があり、「文字サイズ」もさらに小さくする余地があるので、「文字間」や「文字サイズ」の選択肢も含む定長調整指示画面に遷移する（Ｄ５２等と同様）。
この第４例では、例えば図１５に示すように、前述の文字列「ＡＢＣＤＥ」を入力後の状態から（Ｄ１０：図６と共通）、印刷キーが押されたときに、設定長ＬＷ４内に納まらない場合に、省略可の対応方法選択画面（Ｄ６０：図９のＤ３２等と同じ）を介した後、長さ関連属性を調整する場合の、調整対象の長さ関連属性の各優先度（最優先の優先度１を含む）を指示する定長調整指示画面（定長調整優先度指示画面）に遷移する（Ｄ６１）。
【手続補正１９】
【補正対象書類名】明細書
【補正対象項目名】００９１
【補正方法】変更
【補正の内容】
【００９１】
ここでは、調整優先度１として「文字間」が選択確定されたとすると（Ｄ６２）、次には、調整優先度２の長さ関連属性の選択肢として、残りの「余白」「文字サイズ」のいずれかを、カーソル操作によって選択・指定できる（Ｄ６３）。ここでは、そのまま「余白」が選択確定されたとすると（Ｄ６３）、残りの「文字サイズ」を調整優先度３の長さ関連属性として設定し、設定された調整優先度１〜３に従って、例えば図１３（ａ）〜図１３（ｃ）（図１６（ａ）と同じ）〜図１６（ｆ）に示すように、調整後のラベル長さが設定長ＬＷ４以下になるように調整した後、印刷画像Ｇ５５として印刷し（Ｄ６４：図６のＤ１１等と同様）、ラベルＬ５５を作成でき（図１６（ｆ）参照）、終了後、元のテキスト編集画面に戻る（図７のＤ２４等）。
【手続補正２０】
【補正対象書類名】明細書
【補正対象項目名】０１１８
【補正方法】変更
【補正の内容】
【０１１８】
また、コンピュータによって処理されるプログラムとしても適用でき、その種のプログラムを記憶するための記憶媒体にも適用でき、この種のプログラムを記憶しておいて、あるいは記憶媒体等から読み出して、コンピュータが実行することにより、定長範囲内に文字列を配置するために長さ関連属性を調整するに際して、簡易な操作で意図を反映した調整ができる。